(57)【要約】【課題】安価な構造で、各パーツを水密に且つ着脱自在に結合可能な電動式洗浄機を提供すること。【解決手段】電動機９、減速機構１０及び電源部たる蓄電池１９をハウジング２に内蔵し、このハウジング２外に突出した前記減速機構１０の出力軸１１に洗浄体４を着脱自在に取り付けると共に、前記ハウジング２に対して把持部３を着脱自在に取り付けたものであり、同じ前記ハウジング２内の蓄電池１９から電動機９に電力が供給されるので、水の侵入による短絡や腐食等を起こりにくくすることができる。また、前記ハウジング２を水密に構成し、このハウジング２上にスイッチ２４を設けたものであり、前記ハウジング２で電気系統が完結しているため、前記ハウジング２と把持部３の結合部分から前記ハウジング２内に水が侵入することがなく、着脱可能な結合部分の防水構造が不要となり、構造を単純且つ安価に構成することができる。【選択図】  図２
2004223015.tif 000002
【特許請求の範囲】
【請求項１】
ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記電源部を前記ハウジング内に設けると共に、前記把持部を前記ハウジングに対して着脱自在に取り付けたことを特徴とする電動式洗浄機。
【請求項２】
前記スイッチを前記ハウジング上に設け、このハウジングを水密状態に構成すると共に、このハウジングに対して前記把持部を着脱自在に取り付けたことを特徴とする請求項１記載の電動式洗浄機。
【請求項３】
前記把持部上に前記スイッチ及びリモコン送信部を設け、前記ハウジング上にリモコン受信部を設け、前記ハウジングを水密状態に構成すると共に、このハウジングに対して前記把持部を着脱自在に取り付けたことを特徴とする請求項１記載の電動式洗浄機。
【請求項４】
前記スイッチを前記ハウジングの前記把持部と結合する部位に設け、このハウジングを水密状態に構成し、このハウジングに対して前記把持部を着脱自在に取り付けると共に、この把持部にスイッチ操作部を設け、更に前記ハウジングに把持部を取り付けた状態において前記スイッチ操作部の操作を前記スイッチに伝達する伝達部を前記把持部に設けたことを特徴とする請求項１記載の電動式洗浄機。
【発明の詳細な説明】
【０００１】
【発明が属する技術分野】
本発明は、浴室等の水回りや屋外で用いられる手持ち式の電動式洗浄機に関するものである。
【０００２】
【発明が解決しようとする課題】
従来この種の電動式洗浄機としては、例えば以下のものが知られている。
【０００３】
【特許文献１】
特開２００２−２５３４７３号公報
【０００４】
これは、モータケース（ハウジング）内にモータ（電動機）及び減速機構を設け、この減速機構の駆動軸（出力軸）に対して洗浄ブラシ（洗浄体）を着脱自在に設けると共に、前記モータケースに柄パイプを介して取っ手ケース（把持部）を取り付け、この取っ手ケース内に蓄電池（電源部）を設け、更に取っ手ケース上にスイッチを設けたものである。そして、前記スイッチを閉じて、前記取っ手ケース内に設けられた蓄電池の電力を前記モータケース内のモータに供給することで、駆動軸に取り付けられた洗浄ブラシが回転する。また、前記取っ手ケース内の蓄電池から前記モータケース内のモータへ、前記柄パイプ内に設けられた電源コード線を介して電力が供給される。
【０００５】
このような細長い形状の電動式洗浄機を販売用の箱に入れることを考えた場合、箱を小さくして輸送に係るコストを低減する等のために、電動式洗浄機を複数のパーツに分割し、それぞれのパーツを着脱可能に構成することが望ましい。しかしながら、各パーツの結合箇所を水密に結合させる必要があるため、各パーツ同士が着脱不能で且つ水密な結合構造の場合であるならば単純で安価に構成できたとしても、各パーツ同士が着脱可能で且つ水密な結合構造とした場合、複雑で高価な構造になってしまう虞があった。
【０００６】
本発明は以上の問題点を解決し、安価な構造で、各パーツを水密に且つ着脱自在に結合可能な電動式洗浄機を提供することを目的とする。
【０００７】
【課題を解決するための手段】
本発明の請求項１に記載の電動式洗浄機は、ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記電源部を前記ハウジング内に設けると共に、前記把持部を前記ハウジングに対して着脱自在に取り付けたものである。
【０００８】
本発明は以上のように構成することにより、分割されたハウジングと把持部を結合することで電動式洗浄機が形成されると共に、同じハウジング内で電源部から電動機へ電力が供給されるので、ハウジングと把持部の結合部分の水密性が低くても水による短絡や腐食等が起こりにくい。
【０００９】
また、本発明の請求項２に記載の電動式洗浄機は、請求項１において、前記スイッチを前記ハウジング上に設け、このハウジングを水密状態に構成すると共に、このハウジングに対して前記把持部を着脱自在に取り付けたものである。
【００１０】
本発明は以上のように構成することにより、ハウジング自体が水密であると共に、このハウジングで電動機、電源、スイッチ等といった電気系統が完結することで、水による短絡や腐食等がより起こりにくい。
【００１１】
また、本発明の請求項３に記載の電動式洗浄機は、請求項１において、前記把持部上に前記スイッチ及びリモコン送信部を設け、前記ハウジング上にリモコン受信部を設け、前記ハウジングを水密状態に構成すると共に、このハウジングに対して前記把持部を着脱自在に取り付けたものである。
【００１２】
本発明は以上のように構成することにより、ハウジング自体が水密であると共に、このハウジングで電動機、電源、リモコン受信部等といった電気系統が完結することで、水による短絡や腐食等がより起こりにくい。
【００１３】
更に、本発明の請求項４に記載の電動式洗浄機は、請求項１において、前記スイッチを前記ハウジングの前記把持部と結合する部位に設け、このハウジングを水密状態に構成し、このハウジングに対して前記把持部を着脱自在に取り付けると共に、この把持部にスイッチ操作部を設け、更に前記ハウジングに把持部を取り付けた状態において前記スイッチ操作部の操作を前記スイッチに伝達する伝達部を前記把持部に設けたものである。
【００１４】
本発明は以上のように構成することにより、ハウジング自体が水密であると共に、このハウジングで電動機、電源、スイッチ等といった電気系統が完結することで、水による短絡や腐食等がより起こりにくい。
【００１５】
【発明の実施形態】
以下、本発明の第一の実施形態について、図１乃至図３に基づいて説明する。１は電動式洗浄機である。この電動式洗浄機１は、それぞれ着脱可能なハウジング２と、把持部３と、洗浄体４とから構成されている。なお、洗浄体４としては、ブラシやスポンジ等が用いられる。
【００１６】
前記ハウジング２は、駆動部ハウジング５と、電源部ハウジング６と、操作部ハウジング７とから構成されている。更に、前記駆動部ハウジング５は、第一駆動部ハウジング５ａと第二駆動部ハウジング５ｂとで構成されており、これら第一駆動部ハウジング５ａの基端と第二駆動部ハウジング５ｂの先端は、Ｏリング８を介して水密に結合されている。そして、前記駆動部ハウジング５内には、電動機９と、この電動機９の駆動軸に接続された減速機構１０が設けられており、この減速機構１０の出力軸１１が前記第一駆動部ハウジング５ａの先端略中央に設けられた貫通孔１２から外部に突出している。なお、前記減速機構１０には、前記電動機９の一方向の回転を反復回転に変換するための変換機構１３が設けられている。そして、この変換機構１３は、前記減速機構１０の途中に設けられた偏心カム１４と、この偏心カム１４を受けるカム受け溝１５を有する往復歯車１６とで構成されている。なお、前記出力軸１１と貫通孔１２の間には、防水シール１７が設けられている。更に、前記出力軸１１には、前記洗浄体４が着脱自在に取り付けられている。
【００１７】
また、前記第二駆動部ハウジング５ｂの基端と電源部ハウジング６の先端は、Ｏリング１８を介して水密に結合されている。なお、前記第二駆動部ハウジング５ｂの基端と電源部ハウジング６の先端はそれぞれ開口しており、これら第二駆動部ハウジング５ｂと電源部ハウジング６を結合したときに、これらの内部が連通するように形成されている。そして、前記電源部ハウジング６内には、電源部たる蓄電池１９が設けられている。
【００１８】
更に、前記電源部ハウジング６の基端と操作部ハウジング７の先端は、接続体２０及びＯリング２１，２２を介して水密に結合されている。なお、前記電源部ハウジング６の基端と操作部ハウジング７の先端はそれぞれ開口していると共に、前記接続体２０は筒状に形成されている。このため、これら電源部ハウジング６と操作部ハウジング７を前記接続体２０によって結合したときに、これらの内部が連通するように形成されている。そして、前記操作部ハウジング７内には、制御回路２３が設けられていると共に、前記操作部ハウジング７上にスイッチ２４と、充電端子２５と、充電表示部２６とが設けられている。なお、前記充電端子２５はゴム製の端子カバー２７によって水密に覆われている。更に、前記操作部ハウジング７の基端は水密に封じられていると共に、この操作部ハウジング７の基端に取付部２８が設けられている。そして、この取付部２８に対して前記把持部３が着脱自在に取り付けられている。
【００１９】
次に、本実施形態の作用について説明する。まず使用者は、電動式洗浄機１を購入後、図示しない販売用の箱から分割された状態のハウジング２と把持部３と洗浄体４を取り出し、ハウジング２に設けられた端子カバー２７を取り外して図示しない電源コードを充電端子２５に接続することで、ハウジング２内の蓄電池１９を充電する。なお、このとき充電表示部２６によって充電の状態が表示される。そして、蓄電池１９が充電されたら、電源コードを充電端子２５から取り外し、この充電端子２５に端子カバー２７を取り付けると共に、前記把持部３をハウジング２の取付部２８に取り付け、更に洗浄体４を出力軸１１に取り付ける。そして、前記把持部３を把持した状態で前記ハウジング２上の前記スイッチ２４を操作することで、前記蓄電池１９から電力が供給されて前記電動機９が一方向に回転する。更に、前記電動機９の駆動軸の一方向の回転は、前記減速機構１０によって減速されると共に、この減速機構１０に設けられた変換機構１３によって反復回転に変換される。即ち、減速機構１０によって減速された一方向の回転は、変換機構１３の偏心カム１４によって一方向の偏心回転に変換されると共に、この偏心カム１４が前記カム受け溝１５内で摺動することで、前記往復歯車１６がその軸１６ａを中心に揺動し、この往復歯車１６と噛合する歯車、ひいては前記出力軸１１が反復回転することになる。そして、この出力軸１１の反復回転によって、この出力軸１１に取り付けられた洗浄体４が反復回転することになり、この反復回転する洗浄体４を図示しない被洗浄体に当接させることで、被洗浄体が洗浄される。
【００２０】
なお、被洗浄体の洗浄には洗剤及び水を使うことになるが、前述したとおり、前記ハウジング２内に前記電動機９と蓄電池１９とスイッチ２４といった電気系統の部品が水密に設けられている、即ち、前記電気系統が前記ハウジング２で完結しているので、前記取付部２８と把持部３の結合部分が水密である必要がなく、従って着脱可能な結合部分の構造が単純にできるばかりでなく、安価に構成することができる。
【００２１】
以上のように本発明は、電動機９、減速機構１０及び電源部たる蓄電池１９をハウジング２に内蔵し、このハウジング２外に突出した前記減速機構１０の出力軸１１に洗浄体４を着脱自在に取り付けると共に、前記ハウジング２に対して把持部３を着脱自在に取り付けたものであり、同じ前記ハウジング２内の蓄電池１９から電動機９に電力が供給されるので、水の侵入による短絡や腐食等を起こりにくくすることができる。
【００２２】
また、本発明は、前記ハウジング２を水密状態に構成すると共に、このハウジング２上にスイッチ２４を設け、更にこのハウジング２に対して把持部２を着脱自在に取り付けたものであり、水密状態のハウジング２で電気系統が完結しているため、前記ハウジング２と把持部３の結合部分から前記ハウジング２内に水が侵入することがないので、水の侵入による短絡や腐食等をより起こりにくくすることができ、従って、着脱可能な結合部分の防水構造が不要となり、構造を単純にできると共に安価に構成することができる。
【００２３】
次に、本発明の第二の実施形態について、図４乃至図５に基づいて説明する。なお、前記第一の実施形態と共通する部分については、共通の符号を付し、その説明を省略する。電動式洗浄機１は、それぞれ着脱可能なハウジング３０と、把持部３１と、洗浄体４とから構成されている。そして、前記ハウジング３０は、駆動部ハウジング５と、電源部ハウジング６と、操作部ハウジング３２とから構成されている。
【００２４】
そして、前記電源部ハウジング６の基端と操作部ハウジング３２の先端は、接続体２０及びＯリング２１，２２を介して水密に結合されている。なお、前記電源部ハウジング６の基端と操作部ハウジング３２の先端はそれぞれ開口していると共に、前記接続体２０は筒状に形成されている。このため、これら電源部ハウジング６と操作部ハウジング３２を前記接続体２０によって結合したときに、これらの内部が連通するように形成されている。そして、前記操作部ハウジング３２内には、制御回路３３が設けられていると共に、前記操作部ハウジング３２上にリモコン受信部３４と、充電端子２５と、充電表示部２６とが設けられている。なお、前記操作部ハウジング３２の基端は水密に封じられていると共に、この操作部ハウジング３２の基端に取付部３５が設けられている。そして、この取付部３５に対して前記把持部３１が着脱自在に取り付けられている。更に、前記把持部３１上にはスイッチ３６及びリモコン送信部３７が水密に設けられている。
【００２５】
次に、本実施形態の作用について説明する。まず使用者は、電動式洗浄機１を購入後、図示しない販売用の箱から分割された状態のハウジング３０と把持部３１と洗浄体４を取り出し、ハウジング３１に設けられた端子カバー２７を取り外して図示しない電源コードを充電端子２５に接続することで、ハウジング３０内の蓄電池１９を充電する。そして、蓄電池１９が充電されたら、電源コードを充電端子２５から取り外し、この充電端子２５に端子カバー２７を取り付けると共に、前記把持部３１をハウジング３０の取付部３５に取り付け、更に洗浄体４を出力軸１１に取り付ける。そして、前記把持部３１を把持した状態でこの把持部３１上の前記スイッチ３６を操作することで、前記リモコン送信部３７から赤外線等によって信号が送信される。そして、この信号を前記リモコン受信部３４が受けることで、前記制御回路３３によって、前記蓄電池１９から電動機９に電力を供給する回路が閉じられ、前記電動機９が回転する。更に、前記電動機９の駆動軸の一方向の回転は、前記減速機構１０及び変換機構１３によって減速されると共に反復回転に変換され、前記出力軸１１及びこの出力軸１１に取り付けられたが洗浄体４反復回転する。そして、この反復回転する洗浄体４を図示しない被洗浄体に当接させることで、被洗浄体が洗浄される。
【００２６】
なお、被洗浄体の洗浄には洗剤及び水を使うことになるが、前述したとおり、前記ハウジング３０内に前記電動機９、蓄電池１９、制御回路３３、リモコン受信部３４といった電気系統の部品が水密に設けられている、即ち、前記電気系統が前記ハウジング３０で完結しているばかりでなく、前記把持部３１にスイッチ３６及びリモコン送信部３７といったもう一つの電気系統が水密に設けられている、即ち、このもう一つの電気系統が前記把持部３１で完結しているので、前記取付部３５と把持部３１の結合部分が水密である必要がなく、従って着脱可能な結合部分の構造が単純にできるばかりでなく、スイッチ３６を手元に近い把持部３１に設けることができるので、電動式洗浄機１の操作を行いやすくすることができる。
【００２７】
以上のように本発明は、電動機９、減速機構１０及び電源部たる蓄電池１９をハウジング３０に内蔵し、このハウジング３０外に突出した前記減速機構１０の出力軸１１に洗浄体４を着脱自在に取り付けると共に、前記ハウジング３０に対して把持部３１を着脱自在に取り付けたものであり、同じ前記ハウジング３０内の蓄電池１９から電動機９に電力が供給されるので、水の侵入による短絡や腐食等を起こりにくくすることができる。
【００２８】
また、本発明は、前記ハウジング３０を水密状態に構成し、このハウジング３０上にリモコン受信部３４を設けると共に、前記ハウジングに対して着脱自在な前記把持部３１上に前記スイッチ３６及びリモコン送信部３７を設けたものであり、前記電動機９、蓄電池１９、制御回路３３、リモコン受信部３４といった電気系統が、水密な前記ハウジング３０で完結しているばかりでなく、前記スイッチ３６及びリモコン送信部３７といったもう一つの電気系統が、水密な状態で、前記把持部３１で完結していることで、前記ハウジング３０内及び把持部３１の電気系統に水が侵入することがないので、水の侵入による短絡や腐食等をより起こりにくくすることができ、従って、着脱可能な結合部分の防水構造が不要となり、構造を単純にできると共に安価に構成することができるばかりでなく、スイッチ３６を手元に近い把持部３１に設けることで、電動式洗浄機１の操作を行いやすくすることができる。
【００２９】
次に、本発明の第三の実施形態について、図６乃至図７に基づいて説明する。なお、前記各実施形態と共通する部分については、共通の符号を付し、その説明を省略する。電動式洗浄機１は、それぞれ着脱可能なハウジング４０と、把持部４１と、洗浄体４とから構成されている。そして、前記ハウジング４０は、駆動部ハウジング５と、電源部ハウジング６と、操作部ハウジング４２とから構成されている。
【００３０】
そして、前記電源部ハウジング６の基端と操作部ハウジング４２の先端は、接続体２０及びＯリング２１，２２を介して水密に結合されている。なお、前記電源部ハウジング６の基端と操作部ハウジング４２の先端はそれぞれ開口していると共に、前記接続体２０は筒状に形成されている。このため、これら電源部ハウジング６と操作部ハウジング４２を前記接続体２０によって結合したときに、これらの内部が連通するように形成されている。そして、前記操作部ハウジング４２内には、制御回路２３が設けられていると共に、前記操作部ハウジング４２上に、充電端子２５と、充電表示部２６とが設けられている。なお、前記操作部ハウジング４２の基端には水密な状態でスイッチ４３が設けられていると共に、このスイッチ４３を囲むように取付部４４が設けられている。そして、この取付部４４に対して前記把持部４１が着脱自在に取り付けられている。更に、前記把持部４１上にはスイッチ操作部４５が設けられていると共に、このスイッチ操作部４５の操作を前記スイッチ４３に物理的に伝達する棒状の伝達部４６が前記把持部４１内に設けられている。そして、前記伝達部４６の先端は、前記取付部４４と結合する前記把持部４１の端部に突出して設けられている。
【００３１】
次に、本実施形態の作用について説明する。まず使用者は、電動式洗浄機１を購入後、図示しない販売用の箱から分割された状態のハウジング４０と把持部４１と洗浄体４を取り出し、ハウジング４１に設けられた端子カバー２７を取り外して図示しない電源コードを充電端子２５に接続することで、ハウジング４０内の蓄電池１９を充電する。そして、蓄電池１９が充電されたら、電源コードを充電端子２５から取り外し、この充電端子２５に端子カバー２７を取り付けると共に、前記把持部４１をハウジング４０の取付部４４に取り付け、更に洗浄体４を出力軸１１に取り付ける。そして、前記把持部４１を把持した状態でこの把持部４１上の前記スイッチ操作部４５を操作することで、前記伝達部４６の先端が前記ハウジング４０上のスイッチ４３を押圧することによって回路が閉じられ、前記蓄電池１９から電動機９に電力が供給されてこの電動機９が回転する。更に、前記電動機９の駆動軸の一方向の回転は、前記減速機構１０及び変換機構１３によって減速されると共に反復回転に変換され、前記出力軸１１及びこの出力軸１１に取り付けられたが洗浄体４反復回転する。そして、この反復回転する洗浄体４を図示しない被洗浄体に当接させることで、被洗浄体が洗浄される。
【００３２】
なお、被洗浄体の洗浄には洗剤及び水を使うことになるが、前述したとおり、前記ハウジング４０内に前記電動機９、蓄電池１９、スイッチ４３といった電気系統の部品が水密に設けられている、即ち、前記電気系統が前記ハウジング４０で完結しているばかりでなく、前記把持部４１にはスイッチ操作部４５、伝達部４６といった物理的な手段しか設けられていないので、前記取付部４４と把持部４１の結合部分が水密である必要がなく、従って着脱可能な結合部分の構造が単純にできるばかりでなく、スイッチ操作部４５を手元に近い把持部４１に設けることができるので、電動式洗浄機１の操作を行いやすくすることができる。
【００３３】
以上のように本発明は、電動機９、減速機構１０及び電源部たる蓄電池１９をハウジング４０に内蔵し、このハウジング４０外に突出した前記減速機構１０の出力軸１１に洗浄体４を着脱自在に取り付けると共に、前記ハウジング４０に対して把持部４１を着脱自在に取り付けたものであり、同じ前記ハウジング４０内の蓄電池１９から電動機９に電力が供給されるので、水の侵入による短絡や腐食等を起こりにくくすることができる。
【００３４】
また、本発明は、前記ハウジング４０を水密状態に構成し、このハウジング４０の前記把持部４１と結合する箇所にスイッチ４３を設け、前記ハウジング４０と着脱自在に結合する把持部４１にスイッチ操作部４５及びこのスイッチ操作部４５の操作を前記スイッチ４３に伝達する伝達部４６を設けたものであり、前記電動機９、蓄電池１９、スイッチ４３といった電気系統が、水密な前記ハウジング４０で完結しているばかりでなく、このハウジング４０に対して着脱自在な把持部４１にはスイッチ操作部４５や伝達部４６といった物理的な手段しか設けられておらず、前記ハウジング４０内に水が侵入することがないので、水の侵入による短絡や腐食等をより起こりにくくすることができ、従って、着脱可能な結合部分の防水構造が不要となり、構造を単純にできると共に安価に構成することができるばかりでなく、スイッチ操作部４５を手元に近い把持部４１に設けることで、電動式洗浄機１の操作を行いやすくすることができる。
【００３５】
なお、本発明は以上の実施形態に限定されるものではなく、発明の要旨の範囲内で種々の変形が可能である。例えば、ハウジングに対してワイヤードリモコンを接続し、このワイヤードリモコンを操作するようにしてもよい。また、前記第二の実施形態において、操作部ハウジングの基端にリモコン受信部を設け、このリモコン受信部を囲むように取付部を設け、この取付部に対して把持部を着脱自在に設けると共に、前記リモコン受信部と対向するように、リモコン送信部を把持部内に設けるようにしても良い。
【００３６】
【発明の効果】
本発明の請求項１に記載の電動式洗浄機は、ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記電源部を前記ハウジング内に設けると共に、前記把持部を前記ハウジングに対して着脱自在に取り付けたものであり、分割されたハウジングと把持部を結合することで電動式洗浄機が形成されると共に、ハウジング内の電源部からハウジング内の電動機へ電力が供給されるので、ハウジングと把持部の結合部分の水密性が低くても水による短絡や腐食等を起こりにくくすることができる。
【００３７】
また、本発明の請求項２に記載の電動式洗浄機は、請求項１において、前記スイッチを前記ハウジング上に設け、このハウジングを水密状態に構成すると共に、このハウジングに対して前記把持部を着脱自在に取り付けたものであり、ハウジング自体が水密であると共に、このハウジングで電動機、電源、スイッチ等といった電気系統が完結することで、水による短絡や腐食等をより起こりにくくすることができる。
【００３８】
また、本発明の請求項３に記載の電動式洗浄機は、請求項１において、前記把持部上に前記スイッチ及びリモコン送信部を設け、前記ハウジング上にリモコン受信部を設け、前記ハウジングを水密状態に構成すると共に、このハウジングに対して前記把持部を着脱自在に取り付けたものであり、ハウジング自体が水密であると共に、このハウジングで電動機、電源、リモコン受信部等といった電気系統が完結することで、水による短絡や腐食等をより起こりにくくすることができる。
【００３９】
更に、本発明の請求項４に記載の電動式洗浄機は、請求項１において、前記スイッチを前記ハウジングの前記把持部と結合する部位に設け、このハウジングを水密状態に構成し、このハウジングに対して前記把持部を着脱自在に取り付けると共に、この把持部にスイッチ操作部を設け、更に前記ハウジングに把持部を取り付けた状態において前記スイッチ操作部の操作を前記スイッチに伝達する伝達部を前記把持部に設けたものであり、ハウジング自体が水密であると共に、このハウジングで電動機、電源、スイッチ等といった電気系統が完結することで、水による短絡や腐食等をより起こりにくくすることができる。
【図面の簡単な説明】
【図１】本発明の第一の実施形態を示す電動式洗浄機の正面図である。
【図２】同上、Ａ−Ａ’断面図である。
【図３】同上、Ｂ−Ｂ’拡大断面図である。
【図４】本発明の第二の実施形態を示す電動式洗浄機の正面図である。
【図５】同上、Ｃ−Ｃ’断面図である。
【図６】本発明の第三の実施形態を示す電動式洗浄機の正面図である。
【図７】同上、Ｄ−Ｄ’断面図である。
【符号の説明】
１  電動式洗浄機
２，３０，４０  ハウジング
３，３１，４１  把持部
４  洗浄体
９  電動機
１０  減速機構
１１  出力軸
１９  蓄電池（電源部）
２４，３６，４３  スイッチ
３４  リモコン受信部
３７  リモコン送信部
４５  スイッチ操作部
４６  伝達部
【図１】
2004223015.tif 000003
【図２】
2004223015.tif 000004
【図３】
2004223015.tif 000005
【図４】
2004223015.tif 000006
【図５】
2004223015.tif 000007
【図６】
2004223015.tif 000008
【図７】
2004223015.tif 000009